(57)【特許請求の範囲】
【請求項１】
床面の段部を覆う状態で設置され、一対の傾斜面を有することで段差を吸収する段差吸収装置であって、
床面に接地される一対の基板と、
床面に対して傾斜した傾斜面を有する一対の上板と、
前記段部を覆う覆板と、
前記基板に対し、前記上板の第１の端部を水平軸線のまわりに回動可能に支持する一対の第１ヒンジと、
前記上板の第２の端部に対し前記覆板の端部を水平軸線のまわりに回動可能に支持する一対の第２ヒンジと、
前記上板を支持すると共に前記基板に対する前記覆板の高さを調節するための高さ調節手段とを備え、前記覆板の両端部が、前記一対の第２ヒンジを介して、前記一対の上板の第２の端部に連結されていることで、前記覆板が床面に平行で、かつ、段部を覆うように配置される段差吸収装置。
【請求項２】
請求項１において、
前記第１の端部および第２の端部に直交する辺に沿って前記基板、上板、ヒンジおよび高さ調整手段がそれぞれ複数個に分割され、前記各基板には、隣接する基板に係合して、互いに離れるのを防止する係合部が形成されている段差吸収装置。
【請求項３】
請求項２において、
前記基板の裏面には滑り止め部材が固定され、前記上板の表面にはゴムおよび／または樹脂の防滑板が貼り替え可能に固定され、前記防滑板は、前記上板の２倍以上の表面積を有し、前記複数枚の上板にまたがって固定されている段差吸収装置。
【発明の詳細な説明】
【０００１】
【発明の属する技術分野】
本発明は傾斜面を有することで段差を吸収する段差吸収装置に関するものである。
【０００２】
【従来の技術とその欠点】
従来タイプの住居には敷居等の段差が多く、子供や高齢者等が当該段差につまづいて転倒するおそれがある。そこで、近年、リフォームにより段差を無くす試みがなされている。
しかし、リフォームをするには多くの時間やコストを要する。
【０００３】
したがって、本発明の目的は、時間やコストを要することなく簡易に既存の住居の段差を吸収する段差吸収装置を提供することである。
【０００４】
【発明の実施の形態】
以下、本発明の理解に役立つ第１参考例を図１〜図３にしたがって説明する。
図１に示すように、段差吸収装置１は、床面２の段部３に隣接した状態で設置され、段差を吸収する。図３（ａ），（ｂ）に示すように、前記段差吸収装置１は、基板１１、上板１２、蝶番（ヒンジ）１８およびターンバクル（高さ調整手段）５を備えている。
【０００５】
図１に示すように、前記段差吸収装置１は、前記基板１１の第１の端部１１ａおよび上板１２の第２の端部１２ｂに直交する辺に沿って前記基板１１、上板１２、蝶番１８およびターンバクル５がそれぞれ複数個に分割されている。
【０００６】
前記基板１１は、床面２に接地される。前記各基板１１には、隣接する基板１１に係合して、互いに離れるのを防止する係合部１５が形成されている。図３（ａ），（ｂ）に示すように、基板１１の裏面にはゴムおよび／または樹脂の滑り止め部材１６が固定されている。
【０００７】
前記上板１２は、断面が略「へ」字状に形成されており、床面２に対して傾斜した傾斜面１３と床面２に対して概ね平行な水平面１４とを有している。図２に示すように、前記上板１２の表面にはゴムおよび／または樹脂の防滑板１７が貼り替え可能に固定されている。前記防滑板１７は、上板１２の２倍以上の表面積を有し、前記複数枚の上板１２にまたがって固定されている。
なお、前記基板１１および上板１２は、それぞれ金属板で形成されている。
【０００８】
図３（ｂ）に示す前記蝶番１８は、基板１１の第１の端部１１ａに設けられ、上板１２を水平軸線Ｘのまわりに回動可能に支持する。
【０００９】
前記ターンバクル５は、たとえば、基板１１および上板１２に固着されたボルト５ａ，５ｂと、前記両ボルト５ａ，５ｂを螺合するナット（ネジ部材）５ｃとを備えている。なお、一方のボルト５ａには左ネジが螺設され、他方のボルト５ｂにはネジが螺設されている。前記ターンバクル５は、前記ナット５ｃを回転することにより前記上板１２を上下動させるジャッキを構成する。前記ターンバクル５は、上板１２を支持すると共に前記上板１２における前記第１の端部１１ａとは反対側の第２の端部１２ｂを上下させて、該上板１２の第２の端部１２ｂの高さを調節する。
【００１０】
図１に示す段差吸収装置１の両側端部には、サイドカバー１０が設けられている。前記サイドカバー１０は、段差吸収装置１の側方の段差を吸収する。前記サイドカバー１０は、基板１１，上板１２Ａ，蝶番（図示せず）およびターンバクル（図示せず）を有している。前記上板１２Ａは傾斜面１３Ａを有している。前記上板１２Ａの傾斜面１３Ａは、隣接する上板１２の傾斜面１３および水平面１４に連らなるように配置されている。前記蝶番は、上板１２Ａを前記水平軸線Ｘと直交する水平軸線Ｙのまわりに回動可能に支持する。前記ターンバクルは、前記上板１２の高さに応じて上板１２Ａの高さを調整する。
【００１１】
なお、前記参考例では、高さ調整手段にターンバクル５を用いたが、本発明では、図４（ａ）に示すパンタグラフ５Ａを用いてもよい。前記パンタグラフ５Ａは、ドライバ等でネジ部材５ｄを回転させることにより、前記上板１２を上下動させる。
また、本発明においては、図４（ｂ）に示すように、車椅子等が脱輪しないように、車止め５０を設けてもよい。
【００１２】
次に、第２の参考例について説明する。
図５（ａ）に示す段差吸収装置１Ａは、基板１１、第１上板２２、第２上板２３、第１蝶番２８、第２蝶番２９およびターンバクル５を備えている。
【００１３】
前記第１上板２２は、床面２に対して傾斜した傾斜面１３を有している。前記第２上板２３は、床面２に対して平行な水平面１４を有している。
【００１４】
前記第１蝶番２８は、第１上板２２の第１の端部２２ａを水平軸線のまわりに回動可能に支持する。前記第２蝶番２９は、第１上板２２の第２の端部２２ｂに対し前記第２上板２３の第１の端部２３ａを水平軸線のまわりに回動可能に支持する。
その他の構成は、第１参考例と同様であり、同一部分または相当部分に同一符号を付して、その詳しい説明および図示を省略する。
【００１５】
次に、本発明の実施形態について説明する。
図５（ｂ）に示す段差吸収装置１Ｂは、一対の基板１１、一対の上板３２、覆板３３、一対の第１蝶番２８、一対の第２蝶番２９およびターンバクル５を備えている。
【００１６】
前記覆板３３は、床面２に平行で段部３を覆うように配置されている。前記覆板３３の両端部３３ａは、一対の第２蝶番２９を介して、一対の上板３２の第２の端部３２ｂに連結されている。
前記ターンバクル５は、一対の上板３２を支持すると共に前記基板１１に対する前記覆板３３の高さを調節する。
その他の構成は、第１ないし第２参考例と同様であり、同一部分または相当部分に同一符号を付して、その詳しい説明および図示を省略する。
【００１７】
以上のとおり、図面を参照しながら好適な実施例を説明したが、当業者であれば、本明細書を見て、自明な範囲で種々の変更および修正を容易に想定するであろう。
たとえば、図５（ｃ）に示すように、高さ調節手段に所定の厚さを有する複数枚のスペーサ６１を積み重ねて、該スペーサ６１の枚数や厚みを変えることにより上板１２の高さを調節する調整板６０を用いてもよい。
また、水平面は必ずしも設ける必要はない。
したがって、そのような変更および修正は、請求の範囲から定まる本発明の範囲内のものと解釈される。
【００１８】
【発明の効果】
本発明によれば、傾斜面を有する上板の端部をヒンジにより水平軸線の回りに回動可能に支持して、上板の高さを高さ調節手段により調節するようにしたので、既存の敷居等の高さにかかわらず段差をも吸収することができる。したがって、子供や高齢者等が段差につまずいて転倒するおそれがない。
また、既存の敷居等の段部に簡易に設置できるので、時間やコストを要することもない。
【００１９】
また、覆板が既存の段部を覆うように配置されるので、既存の段部と本装置の端部との間に段差や隙間が全くできない。
【００２０】
請求項２の発明によれば、本装置が複数個に分割されているので、既存の敷居等の長さに応じて本装置の幅を設定することができる。
【００２１】
また、隣接する基板同士が係合部で係合しているから、前記分割された本装置が互いに離反して隙間が生じるおそれがない。
【００２２】
請求項３の発明によれば、滑り止め部材により前記基板の滑りが防止されているので、本装置の接地後に本装置がズレるおそれがない。また、上板の表面に防滑板を設けたので、金属板と異なり滑りにくいから、本装置上を歩いている時に滑るおそれはない。さらに、前記防滑板は貼り替え可能に設けられているので、防滑板が使用により摩耗しても、防滑板を貼り替えることができる。
【００２３】
さらに、前記防滑板を大きな表面積にして複数枚の上板の上を覆うようにすれば、路面に微小な隙間ができないから、歩行の際につまづくことなく、車椅子で移動することも容易になる。
【００２４】
なお、ジャッキを用いれば、調整板等と異なり無段階に高さを調節することができるから、既存の敷居等の高さに殆ど段差なく本装置の高さを合わせることができる。
【図面の簡単な説明】
【図１】  本発明の理解に役立つ第１参考例にかかる段差吸収装置を示す斜視図である。
【図２】  段差吸収装置の防滑板を示す一部破断した斜視図である。
【図３】  （ａ）は段差吸収装置を示す概略縦断面図であり、（ｂ）は同拡大縦断面図である。
【図４】  （ａ）は他の高さ調整手段を示す正面図であり、（ｂ）は変形例を示す正面図である。
【図５】  （ａ）は第２参考例にかかる段差吸収装置を示す概略縦断面図、（ｂ）は本発明の実施形態にかかる段差吸収装置を示す概略縦断面図、（ｃ）は他の高さ調節手段を示す概略縦断面図である。
【符号の説明】
１：段差吸収装置
１１：基板
１２，２２，２３，３２，３３：上板
１３：傾斜面
１５：係合部
１６：滑り止め部材
１７：防滑板
１８，２８，２９：蝶番（ヒンジ）
２：床面
３：段部
５：ターンバクル（高さ調整手段）
【図１】
0003666655.tif 000002
【図２】
0003666655.tif 000003
【図３】
0003666655.tif 000004
【図４】
0003666655.tif 000005
【図５】
0003666655.tif 000006